(57)【要約】【課題】  部屋を区画する間仕切りの薄肉のパネルに衝撃等の力が加えられた場合に、この力による衝撃を緩和して、パネルを損傷を防ぐ間仕切りのパネル支持構造を提供する。【解決手段】  下側軸１ａｂ３を軸方向に移動自在にバネ筐体１ａｂｂに収容させて、下側軸１ａｂ３と係脱する押圧バネ１ａｂ２をバネ筐体１ａｂｂに設けて、その復元力によって下側軸１ａｂ３の下端部に連繋させたスライダー１ｄを下側案内レール１ｃに押圧させる。パネル１ａに力が加えられた際にパネル１ａが湾曲すると、下框１ａｂが上昇して湾曲を許容し、パネル１ａに加えられた力を緩和する。力が除かれると、パネル１ａが平板状に復帰して、押圧バネ１ａｂ２の復元力により、スライダー１ｄが下側案内レール１ｃに押圧される。【選択図】        図９
2020186573.tif 000002
【特許請求の範囲】
【請求項１】
パネルの周縁部が框で支持された間仕切りのパネル支持構造において、
前記パネルに、該パネルの面と交差する方向に力が加えられてパネルが該パネルの弾性域内で湾曲することを許容する支持構造を備えたことを特徴とする間仕切りのパネル支持構造。
【請求項２】
請求項１に記載の間仕切りのパネル支持構造であって、
前記框のうちの縦框に中桟を設け、
前記パネルの周縁部が框と中桟で支持され、
前記パネルに、該パネルの面と交差する方向に力が加えられてパネルが該パネルの弾性域内で湾曲することを許容する支持構造を備えたことを特徴とする間仕切りのパネル支持構造。
【請求項３】
請求項１または請求項２に記載の間仕切りのパネル支持構造であって、
前記框または中桟は、
支持している前記パネルを挟んだ位置に配した中空状の主体部と、
前記主体部とを連結する連結部と、
を備えていることを特徴とする間仕切りのパネル支持構造。
【請求項４】
請求項３に記載の間仕切りのパネル支持構造であって、
前記框は、少なくとも縦框であることを特徴とする間仕切りのパネル支持構造。
【請求項５】
請求項１から請求項４までのいずれか一項に記載の間仕切りのパネル支持構造であって、
前記框のうちの上下の框と縦框とは、これらを一体化させる剛結合による連結構造を介して連結させ、
縦框は、パネルの面と交差する方向と平行な方向の力が加えられた場合には、該縦框の弾性域内で湾曲することが許容されていることを特徴とする間仕切りのパネル支持構造。
【請求項６】
請求項２から請求項５までのいずれか一項に記載の間仕切りのパネル支持構造であって、
縦框と中桟とは、縦框と中桟のいずれか一方に加えられた力が他方に伝達することが緩和される連結構造を介して連結されていること、
を特徴とする間仕切りのパネル支持構造。
【請求項７】
請求項１から請求項６までのいずれか一項に記載の間仕切りのパネル支持構造であって、
複数のパネルのうちの隣接するパネルの対向する一対の縦框を連結板を介して連繋させて、隣接するパネルが伸張した状態と折り畳まれた状態とに変位自在である構造とする場合には、
前記連結板に連繋している一対の縦框は、中空状の主体部を備え、
前記主体部を前記連結板の側に配した連結部により連結されていることを特徴とする間仕切りのパネル支持構造。
【請求項８】
請求項１から請求項７までのいずれか一項に記載の間仕切りのパネル支持構造であって、
上側の框が上側案内レールに連繋し、下側の框が下側案内レールに連繋していることを特徴とする間仕切りのパネル支持構造。
【請求項９】
上側案内レールに連繋した上側の框と、下側案内レールに連繋した下側の框で保持されたパネルを備えた間仕切りのパネル支持構造において、
前記パネルに、該パネルの面と交差する方向に力が加えられてパネルが該パネルの弾性域内で湾曲することを許容する支持構造を備えたことを特徴とする間仕切りのパネル支持構造。
【請求項１０】
請求項８または請求項９に記載の間仕切りのパネル支持構造であって、
上側の框と下側の框のいずれか一方または両方の框に、上下方向を軸方向として配した連結軸と、
連結軸の先端部に保持されて、案内レールと連繋する連結部材と、
を具備させ、
框が連結軸に対して、連結軸の軸方向に移動自在であり、
連結軸の軸方向が案内レールに対して傾くことが許容されていること、
を特徴とする間仕切りのパネル支持構造。
【請求項１１】
請求項１０に記載の間仕切りのパネル支持構造であって、
いずれか一方の框に前記連結軸を配する場合に、他方の框には支持軸を配し、
前記支持軸の基端部を框の内部に保持させ、
前記支持軸の先端部を框から突出させ、この先端部に連繋手段を取り付けて、該連繋手段を介して、支持軸を案内レールに連繋させ、
前記支持軸が、案内レールに対して傾くことが許容されていることを特徴とする間仕切りのパネル支持構造。
【請求項１２】
請求項１１に記載の間仕切りのパネル支持構造であって、
前記支持軸を上側の框に配し、前記連結軸を下側の框に配することを特徴とする間仕切りのパネル支持構造。
【請求項１３】
請求項１１または請求項１２に記載の間仕切りのパネル支持構造であって、
前記支持軸の先端部に取り付けられた連繋手段と案内レールとの間に間隙が設けられていることを特徴とする間仕切りのパネル支持構造。
【請求項１４】
請求項１０から請求項１３までのいずれか一項に記載の間仕切りのパネル支持構造であって、
前記案内レールに連結部材保持部を設けて、前記連結部材を案内レールに摺動自在に連繋させ、
連結部材と連結部材保持部との間に間隙が形成されて、連結部材が案内レールに対して傾くことが許容されていることを特徴とする間仕切りのパネル支持構造。
【請求項１５】
請求項１０から請求項１４までのいずれか一項に記載の間仕切りのパネル支持構造であって、
前記連結軸と連結部材とを間隙を介して連結させ、
前記連結軸の軸方向で、連結軸と連結部材との間に間隙を設けて、連結軸が連結部材に対して傾くことが許容されていることを特徴とする間仕切りのパネル支持構造。
【発明の詳細な説明】
【技術分野】
【０００１】
この発明は、案内レール等により案内される移動式間仕切り等の間仕切りのパネル支持構造に関する。
【背景技術】
【０００２】
例えば、広い部屋を広い状態で利用したり、二部屋に区画した状態で利用したりすることができるように、間仕切りが用いられることがある。当初からこのような利用に供することで設計される場合には、天井や床に案内レールを敷設して、この案内レールに案内されて移動できるようにすることがある。
【０００３】
この種の間仕切りを住居等の一般家屋に設置する場合には、居住空間の制限を極力減じることが好ましく、このため、間仕切りを小型化・軽量化することが好ましい。この小型化・軽量化のためには、パネルの肉厚を小さくしたり、パネルを保持する框を細くしたりすることが行われる。
【０００４】
肉厚の小さいパネルが用いられる場合には、パネルの面と交差する方向から力が加えられと湾曲するおそれがある。このとき、大きな力が加えられると、この力に抗しきれずに、パネルや框が破損してしまうおそれがある。このため、大きな力が加えられた際の衝撃を緩和して、破損から守ることが必要となる。
また、加えられた力が除かれた場合には、元の平板状の状態に復帰することが必要となる。
【０００５】
厚みが薄い仕切板を用いて間仕切りパネルを薄肉に構成し、また、パネルを移動する際に仕切板に加わる衝撃が小さくなるようにする間仕切りパネルの構造が開示されている（特許文献１参照）。
【０００６】
この特許文献１に開示された間仕切りパネルの構造は、パネル主体である仕切板の上下両端部に、ボルトなどの結合手段で仕切板の表裏両面に挟着固定される内枠材と内枠材の外面を覆う外枠材からなる上部枠体と下部枠体を取り付け、仕切板の上端よりも上方に突出した上部枠体の内枠材間にフックを取り付け、このフックに吊りボルトの下端部を固定して構成されたものである。
【先行技術文献】
【特許文献】
【０００７】
【特許文献１】特開２００６−１０４７２４号公報
【発明の概要】
【０００８】
特許文献１に開示された間仕切りパネルの構造で小さくなるようにする衝撃は、パネルを移動する際に仕切板に加わる衝撃であり、隣接するパネル同士がぶつかった場合の衝撃であり、パネルの面と交差する方向から加えられる場合のものではない。
【０００９】
また、特許文献１の間仕切りパネルの構造では、下部枠体には下側のレールが連繋しているものではないため、パネルの面と交差する方向に力が加えられた場合には、間仕切りパネルが揺動することになり、パネルが湾曲するものではない。
【００１０】
この発明は、パネルの周縁部が框によって支持されている間仕切りであって、パネルの面に交差する方向に、衝撃を受けたり、手が着かれたり、寄りかかられたり等によって力が加えられた場合に、パネルが適宜に湾曲してこの力を緩和し、力が除かれた場合には、元の状態に復帰するようにした間仕切りのパネル支持構造を提供することを課題とするものである。
【課題を解決するための手段】
【００１１】
上記課題を解決するために、第１の観点によると、パネルの周縁部が框で支持された間仕切りのパネル支持構造において、前記パネルに、該パネルの面と交差する方向に力が加えられてパネルが該パネルの弾性域内で湾曲することを許容する支持構造を備えたことを特徴としている。
【００１２】
また、この発明の他の側面は、上述の発明に係る間仕切りのパネル支持構造であって、前記框のうちの縦框に中桟を設け、前記パネルの周縁部が框と中桟で支持され、前記パネルに、該パネルの面と交差する方向に力が加えられてパネルが該パネルの弾性域内で湾曲することを許容する支持構造を備えていることが好ましい。
【００１３】
また、この発明の他の側面は、上述の発明に係る間仕切りのパネル支持構造であって、前記框または中桟は、支持している前記パネルを挟んだ位置に配した中空状の主体部と、前記主体部とを連結する連結部とを備えていることが好ましい。
【００１４】
また、この発明の他の側面は、上述の発明に係る間仕切りのパネル支持構造であって、前記框は、少なくとも縦框であることが好ましい。
【００１５】
また、この発明の他の側面は、上述の発明に係る間仕切りのパネル支持構造であって、前記框のうちの上下の框と縦框とは、これらを一体化させる剛結合による連結構造を介して連結させ、縦框は、パネルの面と交差する方向と平行な方向の力が加えられた場合には、該縦框の弾性域内で湾曲することが許容されていることが好ましい。
【００１６】
また、この発明の他の側面は、上述の発明に係る間仕切りのパネル支持構造であって、縦框と中桟とは、縦框と中桟のいずれか一方に加えられた力が他方に伝達することが緩和される連結構造を介して連結されていることが好ましい。
【００１７】
また、この発明の他の側面は、上述の発明に係る間仕切りのパネル支持構造であって、複数のパネルのうちの隣接するパネルの対向する一対の縦框を連結板を介して連繋させて、隣接するパネルが伸張した状態と折り畳まれた状態とに変位自在である構造とする場合には、前記連結板に連繋している一対の縦框は、中空状の主体部を備え、前記主体部を前記連結板の側に配した連結部により連結されていることが好ましい。
【００１８】
また、この発明の他の側面は、上述の発明に係る間仕切りのパネル支持構造であって、上側の框が上側案内レールに連繋し、下側の框が下側案内レールに連繋していること、とすることができる。
【００１９】
また、上記課題を解決するための第２の観点によると、上側案内レールに連繋した上側の框と、下側案内レールに連繋した下側の框で保持されたパネルを備えた間仕切りのパネル支持構造において、前記パネルに、該パネルの面と交差する方向に力が加えられてパネルが該パネルの弾性域内で湾曲することを許容する支持構造を備えたことを特徴としている。
【００２０】
また、この発明の他の側面は、上述の発明に係る間仕切りのパネル支持構造であって、上側の框と下側の框のいずれか一方または両方の框に、上下方向を軸方向として配した連結軸と、連結軸の先端部に保持されて、案内レールと連繋する連結部材とを具備させ、框が連結軸に対して、連結軸の軸方向に移動自在であり、連結軸の軸方向が案内レールに対して傾くことが許容されていることが好ましい。
【００２１】
また、この発明の他の側面は、上述の発明に係る間仕切りのパネル支持構造であって、いずれか一方の框に前記連結軸を配する場合に、他方の框には支持軸を配し、前記支持軸の基端部を框の内部に保持させ、前記支持軸の先端部を框から突出させ、この先端部に連繋手段を取り付けて、該連繋手段を介して、支持軸を案内レールに連繋させ、前記支持軸が、案内レールに対して傾くことが許容されていることが好ましい。
【００２２】
また、この発明の他の側面は、上述の発明に係る間仕切りのパネル支持構造であって、前記支持軸を上側の框に配し、前記連結軸を下側の框に配することが好ましい。
【００２３】
また、この発明の他の側面は、上述の発明に係る間仕切りのパネル支持構造であって、前記支持軸の先端部に取り付けられた連繋手段と案内レールとの間に間隙が設けられていることが好ましい。
【００２４】
また、この発明の他の側面は、上述の発明に係る間仕切りのパネル支持構造であって、前記案内レールに連結部材保持部を設けて、前記連結部材を案内レールに摺動自在に連繋させ、連結部材と連結部材保持部との間に間隙が形成されて、連結部材が案内レールに対して傾くことが許容されていることが好ましい。
【００２５】
また、この発明の他の側面は、上述の発明に係る間仕切りのパネル支持構造であって、前記連結軸と連結部材とを間隙を介して連結させ、前記連結軸の軸方向で、連結軸と連結部材との間に間隙を設けて、連結軸が連結部材に対して傾くことが許容されていることが好ましい。
【発明の効果】
【００２６】
この発明に係る間仕切りのパネル支持構造によれば、パネルの面と交差する方向からパネルに力が加えられた場合、パネルが湾曲することにより、上側の框と下側の框とを近づける方向に作用する力を受けて、上側の框または下側の框の一方または両方が連結軸に対して移動する。この移動方向は、框同士を近づける方向となる。したがって、パネルの湾曲が許容されて、加えられた力が緩和されて、パネルの損傷が防止される。
【図面の簡単な説明】
【００２７】
【図１】この発明に係る支持構造を備えたパネルを用いるのに適した移動式間仕切りの一実施形態を示す斜視図であり、移動式間仕切りが折り戸からなる場合の、折られた状態の折り戸の上部を示す図である。
【図２】図１に示す折り戸の上部から、召し合わせ框キャップと軸部材を分離させ、連結板を途中まで分離して示す分解斜視図である。
【図３】召し合わせ框キャップと軸部材との繋状態を上方から見た斜視図であり、召し合わせキャップと軸部材とを分離して示す上方から見た斜視図であり、連結板の上部が併記されている。
【図４】召し合わせ框と連結板とを分離した状態を示した横断面図である。
【図５】伸張した状態にある折り戸の平面図で、召し合わせ框の部分を拡大して示している。
【図６】折られた状態にある折り戸の平面図で、召し合わせ框の部分を拡大して示している。
【図７】召し合わせ框が連結板に対して揺動する状態を説明する図で、（Ａ）が伸張状態を示し、（Ｂ）、（Ｃ）の順で折り畳み状態へ動作する変位状態を示している。
【図８】図７に続く動作による変位状態を、（Ａ）、（Ｂ）、（Ｃ）の順で示してあり、（Ｃ）が折り畳み状態を示している。
【図９】この発明に係る支持構造により支持されるパネルの上下の框と上側案内レール、下側案内レールとを、パネルの中間部を省略して示す縦断面図であり、（Ａ）は通常の状態を、（Ｂ）は矢標Ｓ方向に力が加えられて、パネルが湾曲した状態を示している。
【図１０】図９における上框と上側案内レールとの拡大図である。
【図１１】図９における下框と下側案内レールとの拡大図である。
【図１２】縦框と上框との連結部を示す分解斜視図である。
【図１３】縦框と中桟との連結部を示す分解斜視図である。
【図１４】折り戸機能を備えると共に、伸張状態では引き戸機能を備えている移動式間仕切りを示す斜視図である。
【図１５】引き戸機能を備えている移動式間仕切りを示す斜視図である。
【発明を実施するための形態】
【００２８】
以下、この発明に係る間仕切りのパネル支持構造の一実施形態を、図面を参照して具体的に説明する。
【００２９】
まず、この発明に係るパネル支持構造を備えることができる代表的な移動式間仕切りの種類と構造を説明する。移動式間仕切りとしては、図１４と図１５に示す構造を備えたものが知られている。
【００３０】
図１４に示す移動式間仕切り１は、二枚のパネル１ａ、１ａが一対とされて、この一対を構成する二枚のパネル１ａが、折り畳まれた折り畳み状態と、一枚の板状に伸張された伸張状態との間で変位する。それぞれのパネル１ａの上框１ａｔは上側案内レール１ｂと連繋しており、下框１ａｂは下側案内レール１ｃと連繋して、これらの案内レール１ｂ、１ｃに沿って移動自在とされている。なお、これら上側案内レール１ｂと下側案内レール１ｃとは、一対のそれぞれのパネル１ａに対しては共通であり、他の一対のパネル１ａとは異なっている。すなわち、パネル１ａの対ごとに連繋している案内レール１ｂ、１ｃが異なっている。また、パネル１ａの移動は、折り畳み状態と伸張状態のいずれの状態にある場合にも、自在とされている。すなわち、二枚のパネル１ａを折り畳むことで折り戸として使用できると共に、伸張状態にある場合には、引き戸として使用できる。このような折り戸と引き戸のいずれとしても使用できる移動式間仕切り１を、以下において、「折り戸・引き戸式」と称する。そして、全ての対のパネル１ａを伸張状態として並設させることにより、部屋を二部屋に区画する間仕切りとなる。さらに、全ての対のパネル１ａを折り畳み状態として、案内レール１ａ、１ｂの一方または両方の端部に移動させることにより、最も広い間口となって、部屋を広く使用することができる。また、一の対のパネル１ａを折り畳み状態とし、他の対のパネル１ａを伸張状態として並設すると、折り畳み状態にある一の対のパネル１ａの部分が区画された部屋の通路として利用できる。また、二部屋に区画した状態では、引き戸機能を利用して出入りすることができる。なお、パネル１ａは、上側の框である上框１ａｔと、下側の框である下框１ａｂ、召し合わせ框１ａｆ、縦框１ａｐとを有している。
【００３１】
図１５に示す移動式間仕切り３は、一枚のパネル３ａによる引き戸である。パネル３ａの上框３ａｔは上側案内レール３ｂと連繋し、下框３ａｂは下側案内レール３ｃと連繋している。しかも、全てのパネル３ａは異なる案内レール３ｂ、３ｃに連繋している。このような引き戸としてのみ使用できる移動式間仕切り３を、以下において、「引き戸・引き戸式」を称する。そして、全てのパネル３ａが重ならないように配置させることにより、部屋を二部屋に区画する間仕切りとなる。また、全てのパネル３ａを重ねた状態とすることにより、重ねられたパネル３ａが袖壁として機能すると共に、パネル３ａが存しない部分が通路となる。なお、パネル３ａは上框３ａｔと下框３ａｂ、召し合わせ框３ａｆ、縦框３ａｐとを有している。
【００３２】
（折り戸の折り畳み構造）
図１４に示す「折り戸・引き戸式」の移動式間仕切り１に用いられているパネル１ａは、一対のパネル１ａを上下方向を軸として中央部で折り畳むことができて、折り畳み状態と伸張状態とに変位させることができる折り畳み構造を備えている。
図１〜図８は一対のパネル１ａの折り畳み構造を示すものである。
【００３３】
図１は折り畳みの途中の状態にあるパネル１ａの上部を示す斜視図であり、一対のパネル１ａが折り戸に組み立てられている状態を示している。また、図２は、パネル１ａの上部の分解斜視図である。折り戸を構成する一対のパネル１ａは、召し合わせ框１ａｆ同士が対向して配置されている。なお、召し合わせ框１ａｆの対向して外側を指向している側を、一対のパネル１ａのいずれについても、前方側あるいは正面側とし、パネル１ａと連繋している側を後方側あるいは背面側とする。これら召し合わせ框１ａｆは、図２に示すように、これらの間位置であって、折り畳まれる状態で内側となる側に配される連結板１０を介して連繋されている。召し合わせ框１ａｆの上下の端部には、召し合わせ框キャップ１１が被せられて、固定されている。また、連結板１０の上下の端部には軸部材１２が取り付けられる。このため、連結板１０はこの軸部材１２が取り付けられるスペースを確保できるように、召し合わせ框１ａｆよりも短く、しかも、この召し合わせ框キャップ１１の外側面は、召し合わせ框キャップ１１を被せた状態で、召し合わせ框１ａｆと上框１ａｔ、下框１ａｂとのそれぞれの外側面にほぼ一致する形状とされている。また、折り畳まれた状態で召し合わせ框１ａｆの外側に配される側面には、後述するように、ゴム等を素材として可撓性を備えた隙間防止部材１３が取り付けられている。そして、パネル１ａが折り畳まれていない伸張状態にある場合には、これら隙間防止部材１３が召し合わせ框１ａｆの対向した部分に形成される隙間を覆い、連結板１０がこの隙間防止部材１３に隠される状態となる。
【００３４】
図３は、連結板１０と召し合わせ框キャップ１１、軸部材１２との関係を示す分解斜視図であり、上方から見た斜視図である。また、図４は連結板１０と召し合わせ框キャップ１１とを、分離して示す横断面図である。
連結板１０は、図４に示されているように、横断面がほぼ対称に形成されて、主体板１０ａに一対の抱持舌片１０ｂと一対の収容舌片１０ｄとが設けられている。主体板１０ａの外側の面はほぼ平面に形成されている。主体板１０ａの内側には側端部から内側に向かって突出すると共に、先端が中心側に向かって湾曲する抱持舌片１０ｂが設けられ、抱持舌片１０ｂの湾曲している内側の部分で抱持部１０ｃが形成されている。また、連結板１０の内側の中央部には適宜な間隔で、内側に向かって突出した一対の収容舌片１０ｄが設けられている。この収容舌片１０ｄは先端が側方に指向して伸長して、これら一対の収容舌片１０ｄの間隔が先端側にかけて徐々に大きくなっており、これら収容舌片１０ｄの中央側の面の間で形成されるほぼＶ字形の空間部が軸部材収容部１０ｅとされている。
【００３５】
収容舌片１０ｄの側方側の面は曲面で形成されて、この曲面による側面と抱持舌片１０ｂの湾曲している内側の面とにより上述の抱持部１０ｃが形成されている。なお、収容舌片１０ｄの側方側の曲面と抱持舌片１０ｂの湾曲している内側の面を連続させて渦巻き形状に形成することで、この抱持部１０ｃを、横断面が中空の渦巻き形状に形成することができる。そして、収容舌片１０ｄの先端部と抱持舌片１０ｂの先端部とが適宜に離隔して、抱持部１０ｃののど部１０ｆとされている。
【００３６】
一方、召し合わせ框１ａｆの前面の壁部であって、折り畳まれる際に内側となる側の端部には、抱持部１０ｃに連繋して抱持される被抱持部１０ｇが設けられている。この被抱持部１０ｇは、召し合わせ框１ａｆの前面から前方に首部１０ｇ１が突出し、この先端部が抱持部１０ｃに抱持される状態に巻かれた形状とされて、抱持端部１０ｈが形成されている。なお、前述のように、抱持部１０ｃを、横断面が中空の渦巻き形状に形成する場合には、この被抱持部１０ｇを抱持部１０ｃの中空の渦巻き形に収容される中実の渦巻き形状に形成することで、これら抱持部１０ｃと被抱持部１０ｇとが確実に連繋できることになる。
また、この被抱持部１０ｇの首部１０ｇ１が、のど部１０ｆを通過する。さらに、首部１０ｇ１の側面であって、抱持部１０ｃが巻かれる方向の側と反対側の面には、係止突起１０ｇ２が突設されている。この係止突起１０ｇ２が、図７（Ａ）に示すように、連結板１０の収容舌片１０ｄの先端に当接することにより、抱持部１０ｃに対する被抱持部１０ｇの位置が規制されて、パネル１ａが伸張状態となる。
【００３７】
これら、召し合わせ框１ａｆと連結板１０とを連繋させるには、召し合わせ框１ａｆの端部から連結板１０の端部を差し込んで、連結板１０を召し合わせ框１ａｆの長手方向摺動させる。このとき、連結板１０の抱持部１０ｃに抱持端部１０ｈを抱持させるように差し込む。
これにより、連結板１０と一対の召し合わせ框１ａｆとが一体的となると共に、後述するように、召し合わせ框１ａｆが回動すると、抱持端部１０ｈが抱持部１０ｃに抱持された状態を維持して、抱持部１０ｃ内で移動する。
【００３８】
軸部材１２は、図３に示すように、連結板１０と召し合わせ框キャップ１１とに連繋する。なお、召し合わせ框キャップ１１と軸部材１２とは、召し合わせ框１ａｆの上部と下部とのそれぞれに配されている。図３には、上部に配される召し合わせ框キャップ１１と軸部材１２を示している。したがって、以下の説明における「上下」の語は、上部に配される軸部材１２や召し合わせ框１ａｆに関するものである。
軸部材１２は、図３に示すように、長円形に形成された台座部１２ａを主体に構成されている。この台座部１２ａの上面には、上方に突出した２本の軸部１２ｂが設けられている。また、下面には台座部１２ａの長円形の長辺の一方から下方へ突出させた連結板受け部が設けられている。この連結板受け部は長円に沿って伸長している平板部１２ｃ１と、この平板部１２ｃ１の中央部に、長円形の他方の長辺に向かって突出させた突出部１２ｃ２とを備えている。これら平板部１２ｃ１と、突出部１２ｃ２との下面は平面に形成されて、連結板受け面とされている。すなわち、軸部材１２が連結板１０に連繋した状態で、この連結板受け面には、連結板１０の端面が当接することになる。
連結板受け面の中央部には、連結板１０の軸部材収容部１０ｅに合致する形状で、軸部材収容部１０ｅに挿入される断面ほぼＶ字形に形成された連繋部１２ｄが設けられている。連結板１０の軸部材収容部１０ｅは、図３と図４に示すように、その断面形状は、収容舌片１０ｄ側が拡開された形状に形成されており、連繋部１２ｄの断面形状は先端側である平板部１２ｃ１の側が細く、この平板部１２ｃ１側の先端側が連結板１０の軸部材収容部１０ｅの主体板１０ａの側に挿入される。また、連繋部１２ｄの基端側である断面形状の太い側の端部には、保持板１２ｅが設けられている。そして、この保持板１２ｅの連繋部１２ｄ側の面に、連結板１０の収容舌片１０ｄの外側面が当接する。そして、連結板１０と軸部材１２とを連繋させた状態では、連結板１０の軸部材収容部１０ｅに連繋部１２ｄが挿入されて、前述したように、連結板１０の先端面が連結板受け面に当接する。
【００３９】
召し合わせ框キャップ１１は、函体により形成されており、その側板の外形が召し合わせ框１ａｆの外形とほぼ一致する形状とされている。なお、図３は、一対のパネル１ａのそれぞれの召し合わせ框１ａｆに取り付けられた召し合わせ框キャップ１１が連繋している状態を示している。
召し合わせ框キャップ１１の上面は、召し合わせ框１ａｆに取り付けられた状態で上框１ａｔの上面とほぼ一致する。また、上面には、後述する隙間防止部材が取り付けられる隙間防止材取付溝１１ａが設けられている。この召し合わせ框キャップ１１の下面側は函体の空間部となっている。また、召し合わせ框キャップ１１の下側には、軸部材１２の軸部１２ｂのそれぞれが各別に挿入される軸穴（図示せず）が設けられている。
召し合わせ框キャップ１１の側面であって、対向した部分には、それぞれ歯部１１ｃが形成されて、一対の召し合わせ框キャップ１１が連繋した状態で、これらの歯部１１ｃが噛合する。そして、召し合わせ框１ａｆに連結板１０が連繋した状態で、召し合わせ框キャップ１１を被せると、軸穴に軸部１２ｂが挿入されると共に、それぞれの召し合わせ框キャップ１１の歯部１１ｃが噛合することになる。
【００４０】
（折り戸の変位動作）
図５〜図８を参照して、折り戸の折り畳み状態と伸張状態との変位動作を説明する。
図５は、折り戸・引き戸式の移動式間仕切り１の一対のパネル１ａが伸張状態にある場合を示す図である。また、図７と図８は、一対のパネル１ａが折り畳み状態から伸張状態まで、召し合わせ框１ａｆが連結板１０に対して揺動する動作を示している。すなわち、図７（Ａ）は伸張状態を示し、徐々に揺動して図８（Ｃ）に示す折り畳み状態に変化する。
図５と図７（Ａ）の伸張状態では、二枚のパネル１ａが同一直線状に配されて一枚の板状となって、引き戸として機能させることができる。また、図５は二枚のパネル１ａの平面図である。また、図７と図８は、召し合わせ框１ａｆの横断面図である。
二枚のパネル１ａの召し合わせ框１ａｆに被せられている召し合わせ框キャップ１１は、図５に示すように、それぞれに形成された歯部１１ｃが噛合している。
二枚のパネル１ａが伸張状態にある場合には、図７（Ａ）に示すように、連結板１０の主体板１０ａの外側面と召し合わせ框１ａｆの側面とが同一面内に位置する。また、連結板１０と連繋している側と反対側の端部に設けられた隙間防止部材１３により召し合わせ框１ａｆの間に形成される隙間が閉じられた状態にある。なお、図７と図８に示すように、対向している召し合わせ框１ａｆの一方に取り付けられた隙間防止部材１３と他方に取り付けられた隙間防止部材１３とを反転させて組み合わせて、隙間防止部材１３が備えている舌片１３ａの間の部分に空間部１３ｂを形成することが好ましい。
また、図６と図７（Ｂ）、図７（Ｃ）、図８（Ａ）、図８（Ｂ）は、二枚のパネル１ａが折り畳み状態と伸張状態と間の変位途中の状態を示しており、この状態から、さらにパネル１ａが折り畳まれて二枚のパネル１ａが平行な状態となって、図８（Ｃ）に示す折り畳み状態となる。
【００４１】
伸張状態にある二枚のパネル１ａを折り畳み状態に変位させるには、図５と図７（Ａ）とにおいて、召し合わせ框１ａｆを矢標Ｐで示す方向に移動させる。このとき、連結板１０の側から操作する場合には、召し合わせ框１ａｆを矢標Ｐで示す方向に押動させる。また、隙間防止部材１３の側から操作する場合には、図示しない指掛け部に手の指先を掛止させて、手前に引くことにより矢標Ｐ方向に移動させる。
召し合わせ框１ａｆが矢標Ｐ方向へ移動すると、二枚のパネル１ａのそれぞれは、後述する、上框１ａｔと上側案内レール１ｂとの連繋部を中心として揺動する。この揺動により、召し合わせ框１ａｆが上側案内レール１ｂの側方に移動させられると共に、二枚のパネル１ａの上框１ａｔと上側案内レール１ｂとの連繋部が接近するように移動する。召し合わせ框１ａｆが矢標Ｐ方向へ移動する際には、それぞれの召し合わせ框１ａｆが、軸部材１２の軸部１２ｂをそれぞれ中心として揺動する。
【００４２】
伸張状態から折り畳み状態へ変位するために、図７と図８に示すように、召し合わせ框１ａｆが軸部材１２の軸部１２ｂを中心として揺動すると、連結板１０の抱持部１０ｃ内を召し合わせ框１ａｆの被抱持部１０ｇが移動する。
伸張状態にある場合には、図７（Ａ）に示すように、被抱持部１０ｇが抱持部１０ｃの最奥部に位置した状態にあって、被抱持部１０ｇの係止突起１０ｇ２が連結板１０の収容舌片１０ｄの先端に当接した状態にある。
伸張状態から折り畳み状態へ変位する際には、被抱持部１０ｇが抱持部１０ｃに対して徐々に移動する。被抱持部１０ｇが配された召し合わせ框１ａｆの揺動は、軸部材１２の軸部１２ｂを軸として行われるので、召し合わせ框１ａｆが連結板１０に対する揺動が許容されるためには、被抱持部１０ｇが抱持部１０ｃに対して移動することが許容されなければならない。前述したように、抱持部１０ｃを中空の渦巻き形状に形成し、被抱持部１０ｇをこの抱持部１０ｃに連繋する中実の渦巻き形状で形成する場合には、これらの間に間隙を形成することにより、被抱持部１０ｇに対する抱持部１０ｃの移動と、連結板１０に対する召し合わせ框１ａｆの揺動のいずれもが許容されることになる。
抱持部１０ｃに対して被抱持部１０ｇが移動する際には、被抱持部１０ｇが抱持部１０ｃから徐々に離脱する方向に移動することになる。また、この被抱持部１０ｇの移動方向は、被抱持部１０ｇの係止突起１０ｇ２が収容舌片１０ｄの先端から離隔する方向となる。図８（Ｃ）に示す折り畳み状態となると、被抱持部１０ｇは抱持部１０ｃから最も突出した位置に離脱した状態となる。この状態であっても、被抱持部１０ｇが抱持部１０ｃから離脱してしまうことがないように、召し合わせ框１ａｆと連結板１０とを連繋させてある。このため、これら召し合わせ框１ａｆと連結板１０とを連繋させるには、前述したように、召し合わせ框１ａｆの端部から連結板１０の端部を、連結板１０の抱持部１０ｃに抱持端部１０ｈを抱持させるように差し込んで、連結板１０を召し合わせ框１ａｆの長手方向摺動させるようにする。
また、このとき、一対の召し合わせ框キャップ１１に形成されている歯部１１ｃは、軸部１２ｂを中心として回動すると共に、噛合状態が維持されているので、一対の召し合わせキャップ１１は同期して回動する。
【００４３】
折り畳み状態にある二枚のパネル１ａを伸張状態に変位させるには、一方のパネル１ａの縦框１ａｐを他方のパネル１ａの縦框１ａｐから離隔する方向に移動させる。これにより、召し合わせ框キャップ１１が軸部材１２の軸部１２ｂを中心に揺動して、歯部１１ｃの噛合関係によって二枚のパネル１ａは同期して回動するから、これら二枚のパネル１ａは伸張状態となる。このとき、被抱持部１０ｇが抱持部１０ｃ内を移動し、伸張状態となったときに、図７（Ａ）に示すように、係止突起１０ｇ２が連結板１０の収容舌片１０ｄの先端に当接する。
【００４４】
上述のように、折り戸の折り畳み構造は、連結板１０を介して二枚のパネル１ａの召し合わせ框１ａｆを連繋させるもので、この連結板１０に対してそれぞれのパネル１ａの召し合わせ框１ａｆが揺動することで、折り畳み状態と伸張状態とに変位自在となる。連結板１０は召し合わせ框１ａｆに上下に亘って召し合わせ框１ａｆと連繋しているから、召し合わせ框１ａｆの上下の中間部に隙間が生じることがない。
そして、パネル１ａの揺動は、召し合わせ框１ａｆに配された召し合わせ框キャップ１１が軸部材１２の軸部１２ｂを中心として回動することに伴われて行われる。すなわち、連結板１０と召し合わせ框キャップ１１、軸部材１２とにより召し合わせ框１ａｆの揺動を行わせることができるの、簡単な構造で、部品点数が少なくなるとともに、一対の召し合わせ框１ａｆの揺動を容易に同期して行わせることができる。
しかも、召し合わせ框１ａｆが連結板１０に対して揺動しても、被抱持部１０ｇが抱持部１０ｃから脱落することがない。
また、二枚のパネル１ａが伸張状態にある場合、連結板１０の主体板１０ａの外側面と召し合わせ框１ａｆの側面とを同一平面内に位置させることができて、伸張状態とした場合に、外側に突出する部分が存せず、外観が損なわれることがない。
また、一対のパネル１ａが伸張状態にある場合には、二枚のパネル１ａの召し合わせ框１ａｆ同士の前面が対向して位置して、これら召し合わせ框の間に隙間が形成される。折り畳み状態から伸張状態に変位した際には、隙間防止部材１３があるので、この隙間に指等が挟まれてしまうことが防止される。しかも、伸張状態では、この隙間が隙間防止部材１３によって閉じられるから、移動式間仕切り１の外観にこの隙間が現れず、移動式間仕切り１の外観が損なわれることがない。
また、この隙間防止部材１３に、ゴム材等のような可撓性を備えている材料を用いることにより、指が突き当たった場合でも適宜に撓んで衝撃を与えることがない。なお、隙間防止部材１３は、中空体によって形成することで、軽量化を図ることができて好ましい。
パネルが伸張状態にある場合は、部屋を二部屋に区画して利用する場合であるから、不用意に折り畳まれては不都合である。このため、伸張状態を維持できるように、召し合わせ框同士を係止する係止手段を設けることが好ましい。この係止手段は係脱自在とされて、適宜な力で係合が解除されてパネルを折り畳むことができるようにすることが好ましい。
【００４５】
（パネルの支持構造及び上框と下框、案内レールの連繋部構造）
肉厚の小さいパネル１ａが用いられる場合には、図９(Ｂ）の矢標Ｓで示すように、パネル１ａの面に力が加えられると湾曲するおそれがある。特に、一般家屋に設置するために、移動式間仕切り１の小型化を図る場合には、上框１ａｔや下框１ａｂ、召し合わせ框１ａｆ、縦框１ａｐが小型化し、肉厚の小さなパネル１ａが用いられる。このため、僅かな力でパネル１ａが湾曲してしまうおそれが生じる。そこで、パネル１ａが湾曲しようとする場合、この湾曲を許容して、元の状態に復元される構造が要求される。特に、一般家屋に設置される間仕切りでは、パネル１ａと同期して、パネル１ａを保持している召し合わせ框１ａｆや縦框１ａｐ等の構造体も適宜に湾曲等することで、パネル１ａ全体をしなやかに変形することが好ましい。
【００４６】
図９〜図２１は、この発明に係る支持構造を備えたパネル１ａと上框１ａｔと上側案内レール１ｂとの連繋部と、パネル１ａと下框１ａｂと下側案内レール１ｃとの連繋部の構造を示す縦断面図である。
パネル１ａは、上框１ａｔの下側壁と下框１ａｂの上側壁にパネル１ａの上下の端部が支持されて保持されている。
【００４７】
上框１ａｔの下側壁には、図１０に示すように、上框１ａｔの長手方向に支持溝１ａｔ１が形成されており、パネル１ａの上端がこの支持溝１ａｔ１に挿入される。また、この支持溝１ａｔ１には適宜な弾性を備えている緩衝材１ａｄが配されており、パネル１ａの端部と支持溝１ａｔ１とはこの緩衝材１ａｄを介して連繋されている。このため、パネル１ａが上框１ａｔに対して適宜に傾くことが許容されている。
上框１ａｔには上下方向を軸方向とした支持軸としての上側軸１ａｔ２が設けられており、この上側軸１ａｔ２の上端部が上框１ａｔの上方に突出している。一方、上側案内レール１ｂには、長手方向に転動自在な一対のローラ１ｂ１が配されている。このローラ１ｂ１は支持ブロック１ｂ２に支持されたローラ支持軸１ｂ３を中心として回動自在に支持されており、この回動によって上側案内レール１ｂに案内されて転動する。すなわち、これらローラ１ｂ１と支持ブロック１ｂ２、ローラ支持軸１ｂ３とにより、上側軸１ａｔ２と上側案内レール１ｂとの連繋手段が構成されている。しかも、これらローラ１ｂ１と支持ブロック１ｂ２等と上側案内レール１ｂとの間には、十分な間隙を設けて、後述するように、上側案内レール１ｂに対してパネル１ａが傾くことによる変形が妨げられないようにされている。また、これらローラ１ｂ１のローラ支持軸１ｂ３の方向と上側軸１ａｔ２の軸方向とは直交させてあり、この上側軸１ａｔ２の上端部が支持ブロック１ｂ２に回動自在に支持されている。この上側軸１ａｔ２の支持ブロック１ｂ２に対する回動によって、パネル１ａは折り畳み状態と伸張状態との間で変位する。また、上側軸１ａｔ２の上部にはフランジ部１ａｔ２１が形成されており、このフランジ部１ａｔ２１と支持ブロック１ｂ２の下面との間には間隙Ｇｔが設けられており、上側軸１ａｔ２がローラ１ｂ１の回動軸と直交する方向に対して適宜な角度に傾くことが許容されている。
また、上框１ａｔの上面の側端部には、上側軸１ａｔ２を挟むように、一対の隙間防止部材１４が設けられており、これら隙間防止部材１４の先端を上側案内レール１ｂに接近させて、上框１ａｔと上側案内レール１ｂとの間に形成される隙間が閉じられている。また、この隙間防止部材１４は、ゴム等の材料が用いられて、可撓性が備えられている。
【００４８】
下框１ａｂの上側壁には、図１１に示すように、下框１ａｂの長手方向に支持溝１ａｂ１が形成されており、パネル１ａの下端がこの支持溝１ａｂ１に挿入される。また、この支持溝１ａｂ１には適宜な弾性を備えている緩衝材１ａｅが配されており、パネル１ａの端部と支持溝１ａｂ１とはこの緩衝材１ａｅを介して連繋されている。このため、パネル１ａが下框１ａｂに対して適宜に傾くことが許容されている。
下框１ａｂには有底の筒状に形成された支持筐体としてのバネ筐体１ａｂｂが収容されており、このバネ筐体１ａｂｂに圧縮コイルバネからなる押圧バネ１ａｂ２が収容されている。バネ筐体１ａｂｂは上方に底部が、下方に開口１ａｂｂ１が配されており、押圧バネ１ａｂ２はこのバネ筐体１ａｂｂの上部、すなわち底部に適宜に保持されて収容されている。このバネ筐体１ａｂｂには連結軸としての下側軸１ａｂ３が収容され、この下側軸１ａｂ３の先端部が開口１ａｂｂ１から突出している。また、下側軸１ａｂ３はバネ筐体１ａｂｂに対して軸方向に摺動自在とされている。下側軸１ａｂ３の基端部には、押圧バネ１ａｂ２が係脱自在に連繋させてあり、係合時にはこの押圧バネ１ａｂ２の復元力が、下側軸１ａｂ３がバネ筐体１ａｂｂから突出する方向に付勢されている。また、係合が解除された状態では、復元力は下側軸１ａｂ３を付勢しない。すなわち、この押圧バネ１ａｂ２と下側軸１ａｂ３との係脱により、この押圧バネ１ａｂ２の復元力の作用状態と不作用状態とが切り替わる。
なお、バネ筐体１ａｂｂと下側軸１ａｂ３とにより、伸縮自在な、いわゆるテレスコピック形式の軸とし、その外筒に押圧バネ１ａｂ２を設けた構造とすることでも構わない。
下側軸１ａｂ３の先端には下側案内レール１ｃと連繋している連結部材としてのスライダー１ｄが、これら下側軸１ａｂ３とスライダー１ｄとの間に適宜な遊びを介して、すなわち適宜な間隙を介して連結されて、下側軸１ａｂ３の軸を中心として回動自在に支持されている。また、押圧バネ１ａｂ２の復元力により、スライダー１ｄが下側案内レール１ｃに押圧されている。下側案内レール１ｃの上面には、断面形状が鳩尾状に形成された連結部材保持部としてのレール部１ｃ１が設けられており、スライダー１ｄの下部にはこのレール部１ｃ１を収容する鳩尾状のレール溝部１ｄ１が形成されている。また、これらレール部１ｃ１がレール溝部１ｄ１に収容された状態で、レール部１ｃ１の内側面とレール溝部１ｄ１の外側面との間に適宜な間隙Ｇｂが設けられている。
また、下側軸１ａｂ３のスライダー１ｄとの連繋部は縮径された形状に形成され、下側軸１ａｂ３の拡径側の端部とスライダー１ｄとの間には間隙Ｇｓが設けられている。このため、これら間隙Ｇｂと間隙Ｇｓによって、下側軸１ａｂ３がスライダー１ｄに対して傾くことと、スライダー１ｄが下側案内レール１ｃに対して傾くこととが許容されている。
また、下框１ａｂの下面の側端部には、下側軸１ａｂ３を挟むように、一対の隙間防止部材１５が設けられており、これら隙間防止部材１５の先端を下側案内レール１ｃに接近させて、下框１ａｂと下側案内レール１ｃとの間に形成される隙間が閉じられている。また、この隙間防止部材１５は、ゴム等の材料が用いられて、可撓性が備えられている。
【００４９】
以上に説明した上側軸１ａｔ２と下側軸１ａｂ３とは、同一の軸上に配されている。また、折り戸・引き戸式の移動式間仕切り１の二枚のパネル１ａのそれぞれには、これら上側軸１ａｔ２と下側軸１ａｂ３とからなる連繋部は上框１ａｔと下框１ａｂの一箇所に配されている。しかも、二枚のパネル１ａのそれぞれの連繋部は、前述した連結板１０を軸として対称となる位置に設けられている。
なお、折り戸・折り戸式の移動式間仕切り２における二枚のパネル２ａのそれぞれには、同様に、上側軸１ａｔ２と下側軸１ａｂ３が上框２ａｔと下框２ａｂの一箇所に配されている。
上側軸１ａｔ２は支持ブロック１ｂ２に対して回動自在であり、下側軸１ａｂ３はスライダー１ｄに対して回動自在である。このため、支持ブロック１ｂ２を収容している上側案内レール１ｂとスライダー１ｄと係合している下側案内レール１ｃに対しても、これら上側軸１ａｔ２と下側軸１ａｂ３が回動自在となっている。したがって、折り戸の場合に、折り畳み状態と伸張状態との間で変位させようとパネル１ａを回動させる場合には、これら上側軸１ａｔ２と下側軸１ａｂ３とを中心として回動させることができることになる。
【００５０】
なお、折り戸として機能しない引き戸機能のみの移動式間仕切り３に用いられるパネル３ａの場合には、上側軸１ａｔ２と下側軸１ａｂ３とは複数箇所に設けることが好ましい。
【００５１】
また、隙間防止部材１４と隙間防止部材１５が取り付けられているため、上框１ａｔと上側案内レール１ｂとの隙間、または下框１ａｂと下側案内レール１ｃとの隙間に指が差し込まれてしまうことが防止される。特に、下框１ａｂと下側案内レール１ｃとの隙間には、足の指が差し込まれてしまうおそれがあり、このため、少なくとも、下框１ａｂに隙間防止部材１５を設けることが好ましい。さらに、下框１ａｂと下側案内レール１ｃとの間隔を、足の指が差し込まれない大きさとすることも好ましい。
また、これら隙間防止部材１４と隙間防止部材１５にゴム材等による可撓性を備えさせることにより、指が突き当たった場合でも適宜に撓んで衝撃を与えることがない。
【００５２】
（縦框と上下の框、縦框と中桟との連結構造）
図１２は、縦框１ａｐと上框１ａｔとの連結部を示す分解斜視図である。
上框１ａｔの上部には、隙間防止部材１４の舌片１４ａの基端部１４ｂが収容される保持部１ａｔ３が形成されている。また、上框１ａｔの端部から取付部１ａｔ４が突出しており、この取付部１ａｔ４に雌ネジ部１ａｔ４１が形成されている。
縦框１ａｐは、背面側にこの取付部１ａｔ４を収容する取付受け部１ａｐ４が凹状に形成されている。この取付受け部１ａｐ４に取付部１ａｔ４が収容された状態で、縦框１ａｐに形成された透孔１ａｐ４１を挿通させた固定ネジ１ａｐ４２を雌ネジ部１ａｔ４１に螺合させて、縦框１ａｐと上框１ａｔとを連結させる。このように、上框１ａｔに取付部１ａｔ４を形成し、この取付部１ａｔ４を縦框１ａｐに形成された取付受け部１ａｐ４に収容させ、固定ネジ１ａｐ４２と雌ネジ部１ａｔ４１とを螺合させて結合させることにより、これら上框１ａｔと縦框１ａｐとが剛結合で連結され、パネル１ａが強固に保持される。なお、縦框１ａｐの前面には弾性を有する素材によるカバー部材１ａｐ５が被せられて、固定ネジの頭部が隠される。この縦框１ａｐは、図１２に示すように、背面側には取付受け部１ａｐ４が形成され、前面側にはカバー部材１ａｐ５を収容するカバー収容部１ａｐ４０が形成されている。このため、これら取付受け部１ａｐ４とカバー収容部１ａｐ４０とに挟まれて板状の連結部１ａｐ６が、左右の中空状の主体部である框主体１ａｐａを連結する構造とされている。なお、縦框１ａｐの端部には、縦框キャップ１ａｐｂが被せられ、隙間防止部材１４の端部がこの縦框キャップ１ａｐｂに収容される。また、パネル１ａは上框１ａｔと縦框１ａｐとに保持される。
また、図１２に示す実施形態では、左右の框主体１ａｐａをパネル１ａに対して対称となるように形成してあるものを示してあるが、左右の框主体１ａｐａはパネル１ａに対して対称でなくてもよく、また、左右の框主体１ａｐａの形状が異なるものであっても構わない。さらに、連結部１ａｐ６を板状のものとして説明したが、板状に限らず、中空部を有する筒状やその他の形状で形成することもできる。
また、以上の説明では、縦框１ａｐと上框１ａｔとの連結部の構造について説明したが、縦框１ａｐと下框１ａｂとの連結部についても同様の構造としてある。
【００５３】
図１３は、縦框１ａｐと中桟１ａｃとの連結部を示す分解斜視図である。
縦框１ａｐは、前述したように、左右の中空状の主体部である框主体１ａｐａが連結部１ａｐ６によって連結された構造とされており、框主体１ａｐａの背面側の面に中桟１ａｃの端部が当接される。中桟１ａｃは、左右の中空状の主体部である桟主体１ａｃａが中央部で板状の連結部１ａｃ１により連結された構造とされている。このため、この連結部１ａｃ１を挟んで凹状の支持溝１ａｃ２が形成され、パネル１ａの端部がこの支持溝１ａｃ２に挿入されて支持される。
また、中桟１ａｃの連結部１ａｃ１の下側には、円弧の一部で雌ネジ部１ａｃ３が形成されている。そして、縦框１ａｐに形成された透孔１ａｐ３に挿通させた固定ネジ１ａｐ３１を雌ネジ部１ａｃ３に螺合させて、縦框１ａｐと中桟１ａｃとを連結させる。このように、縦框１ａｐを中桟１ａｃの端部を当接させて、１本の固定ネジ１ａｐ３１を雌ネジ部１ａｃ３に螺合させて結合させることにより、縦框１ａｐと中桟１ａｃとの連結に自由度を備えさせることとなるから、衝撃等による力が加えられた場合にパネル１ａが湾曲することを確実に許容する。
また、図１３に示す実施形態では、左右の桟主体１ａｃａをパネル１ａに対して対称となるように形成してあるものを示してあるが、左右の桟主体１ａｃａはパネル１ａに対して対称でなくてもよく、また、左右の桟主体１ａｃａの形状が異なるものであっても構わない。さらに、連結部１ａｃ１を板状のものとして説明したが、板状に限らず、中空部を有する筒状やその他の形状で形成することもできる。
【００５４】
なお、召し合わせ框１ａｆも図４に示すように、左右の中空状の主体部である框主体１ａｆａを板状の連結部１ａｆｃにより連結された構造とされている。この連結部１ａｆｃは召し合わせ框１ａｆの前面側の壁面を形成しており、前述した首部１０ｇ１が設けられている。なお、対向する召し合わせ框１ａｆの連結部１ａｆｃの前面同士が、パネル１ａが伸張状態となった際には、対向した状態となる。
したがって、対向する召し合わせ框１ａｆに連繋している連結板１０に衝撃等による力が加えられた場合に、この力が緩和される。
【００５５】
（パネルの湾曲時の動作）
パネル１ａの中央部に衝撃等の力Ｓが加えられると、図９（Ｂ）に示すように、パネル１ａが適宜に湾曲することになる。
このとき、パネル１ａは上框１ａｔに緩衝材１ａｄを介して支持され、下框１ａｂに緩衝材１ａｅを介して支持されているから、これら緩衝材１ａｄ、１ａｅによって衝撃が緩和されると共に、緩衝材１ａｄが圧潰されて、パネル１ａの湾曲が許容される。また、上側軸１ａｔ２のフランジ部１ａｔ２１と支持ブロック１ｂ２との間に設けられた間隙Ｇｔにより、上側軸１ａｔ２が上側案内レール１ｂに対して傾くことが許容される。また、下側軸１ａｂ３に取り付けられたスライダー１ｄと下側案内レール１ｃとの間に設けられた間隙Ｇｂにより、下側軸１ａｂ３が下側案内レール１ｃに対して傾くことが許容される。さらに、下側軸１ａｂ３とスライダー１ｄとの間に設けられた間隙Ｇｓにより、下側軸１ａｂ３がスライダー１ｄに対して傾くことが許容される。
したがって、パネル１ａの湾曲は、これら上側軸１ａｔ２と下側軸１ａｂ３が傾くことによって許容される。
しかも、召し合わせ框１ａｆと縦框１ａｐとのいずれも、中空状の主体部である框主体１ａｆａ、１ａｐａが板状の連結部１ａｆｃと連結部１ａｐ６とにより連結された構造とされているから、パネル１ａの湾曲に伴われてこれら召し合わせ框１ａｆと縦框１ａｐも適宜に撓むことになって、パネル１ａが円滑に湾曲することが許容される。
さらに、パネル１ａが湾曲すると、上框１ａｔと下框１ａｂとの距離が小さくなる。このため、これら上框１ａｔと下框１ａｂとが接近する方向に移動する。上框１ａｔは上側案内レール１ｂとの関係で位置が規制されているから、上框１ａｔは移動せずに、図９（Ｂ）に示すように、下框１ａｂが斜め上方に移動して、上框１ａｔに接近する。なお、この下框１ａｂの斜め上方への移動は、下側案内レール１ｃとスライダー１ｄとの間の間隙Ｇｂによって許容される。また、この下框１ａｂの斜め上方へのこの移動は、下側軸１ａｂ３に対してバネ筐体１ａｂｂが軸方向に摺動することによる。このため、バネ筐体１ａｂｂの底部と下側軸１ａｂ３の先端部とが離隔するから、スライダー１ｄに対する押圧バネ１ａｂ２の復元力により生じている付勢状態が解除される。
【００５６】
パネル１ａに対する衝撃等による力が消滅すると、湾曲したパネル１ａがその復元力によって平板状に元の状態に復帰する。この復帰動作によって、間隙Ｇｔにより上側案内レール１ｂに対して傾いた上側軸１ａｔ２が元の状態に復帰する。また、間隙Ｇｂにより下側案内レール１ｃに対して傾いたスライダー１ｄが元の位置に復帰し、さらに、スライダー１ｄに対して傾いた下側軸１ａｂ３が元の位置に復帰する。
また、上框１ａｔに接近するよう上昇した下框１ａｂが下降して、元の位置に復帰する。このとき、バネ筐体１ａｂｂが下側軸１ａｂ３に対して摺動して下框１ａｂが下降する。バネ筐体１ａｂｂのこの下降によって押圧バネ１ａｂ２が下側軸１ａｂ３と係合し、この押圧バネ１ａｂ２の復元力がスライダー１ｄに作用する状態となる。このため、スライダー１ｄが下側案内レール１ｃに押圧されて、スライダー１ｄが下側案内レール１ｃに案内されて移動することができる状態となる。
【００５７】
以上に説明した実施形態では、下側軸１ａｂ３をバネ筐体１ａｂｂに配して、このバネ筐体１ａｂｂを下框１ａｂに保持させた構造として説明したが、バネ筐体１ａｂｂを設けずに、下側軸１ａｂ３を下框１ａｂに配した構造とすることもできる。なお、下框１ａｂにバネ筐体１ａｂｂを保持させて、このバネ筐体１ａｂｂに下側軸１ａｂ３を収容させることで、下側軸１ａｂ３のバネ筐体１ａｂｂに対する移動を円滑に行わせることができると共に、押圧バネ１ａｂ２と下側軸１ａｂ３との係脱も円滑に行わせることができる。
また、下側軸１ａｂ３を連結軸とし、上側軸１ａｔ２を支持軸として、下框１ａｂが下側軸１ａｂ３に対して摺動する構造とすることにより、上框１ａｔと上側案内レール１ｂとの連繋の状態を一定として確保できる。すなわち、上側案内レール１ｂにローラ１ｂ１の転動を案内させて、このローラ１ｂ１に上框１ａｔを連繋させて上框１ａｔの移動を案内する構造とする場合、上框１ａｔと上側案内レール１ｂとが一定の位置関係にあることが円滑な移動にとって好ましい。このため、下側軸１ａｂ３に連結軸を用い、上側軸１ａｔ２に支持軸を用いることより、上框１ａｔの円滑な移動と、パネル１ａに衝撃等による力が加えられた場合の力の緩和とを、円滑に行わせることができる。
なお、下側軸１ａｂ３と上側軸１ａｔ２のいずれも連結軸として下框１ａｂと上框１ａｔとのいずれもがそれぞれ、下側軸１ａｂ３と上側軸１ａｔ２とに対して摺動自在の構造とすることもできる。さらに、下側軸１ａｂ３を支持軸とし、上側軸１ａｔ２を連結軸とする構造とすることもできる。
【００５８】
なお、約３０００mmで肉厚が２mmの強化プラスチック製のパネル１ａの中央部に１０Ｎの力を加えた場合に、パネル１ａの中央部が約１０mm膨出して湾曲した。また、同じパネル１ａに３０Ｎの力を加えた場合には、中央部が約２６mm膨出して湾曲した。さらに、いずれの場合も加えた力を除去した後には、元の状態に復帰することを確認した。
【００５９】
なお、複数のパネルのうちの隣接するパネルの対向している一対の縦框を連結板で連繋させて、これらの縦框を連繋板に対して変位可能にとする構造を備えて、複数のパネルが折り畳み状態と伸張状態との間で変位自在な構造とする間仕切りにも、以上に説明したパネル支持構造を具備させることができる。
【符号の説明】
【００６０】
１…移動式間仕切り、１ａ…パネル、１ａｂ…下框、１ａｂ１…支持溝、１ａｂ２…押圧バネ、１ａｂ３…下側軸（連結軸）、１ａｂｂ…バネ筐体（支持筐体）、１ａｂｂ１…開口、１ａｄ…緩衝材、１ａｅ…緩衝材、１ａｆ…召し合わせ框（縦框）、１ａｐ…縦框、１ａｔ…上框、１ａｔ１…支持溝、１ａｔ２…上側軸（支持軸）、１ａｔ２１…フランジ部、１ｂ…上側案内レール、１ｂ１…ローラ（連繋手段）、１ｂ２…支持ブロック（連繋手段）、１ｂ３…ローラ支持軸（連繋手段）、１ｃ…下側案内レール、１ｃ１…レール部、１ｄ…  スライダー（連結部材）、１ｄ１…レール溝部、２…移動式間仕切り、２ａ…パネル、２ａｂ…下框、２ａｆ…召し合わせ框（縦框）、２ａｐ…縦框、２ａｔ…上框、２ｂ…上側案内レール、２ｃ…下側案内レール、３…移動式間仕切り、３ａ…パネル、３ａｂ…下框、３ａｆ…召し合わせ框（縦框）、３ａｐ…縦框、３ａｔ…上框、３ｂ…上側案内レール、３ｃ…下側案内レール、４…移動式間仕切り、４ａ…パネル、４ａｂ…下框、４ａｂ１…凹部、４ａｆ…召し合わせ框（縦框）、４ａｔ…上框、４ａｐ…縦框、４ａｐ１…縦框キャップ、４ｂ…上側案内レール、５…移動式間仕切り、５ａ…パネル、５ａ１…開き戸のパネル、５ａｂ…下框、５ａｆ…召し合わせ框（縦框）、５ａｐ…縦框、５ａｔ…上框、５ｂ…上側案内レール、５ｄ…収納案内レール、５ｄ１…移動案内レール、５ｄ２…収納部レール、５ａｓ…戸当たり、５ａｓ１…側面指掛け部、１０…連結板、１０ａ…主体板、１０ｂ…抱持舌片、１０ｃ…抱持部、１０ｄ…収容舌片、１０ｅ…軸部材収容部、１０ｆ…のど部、１０ｇ…被抱持部、１０ｇ１…首部、１０ｇ２…係止突起、１０ｈ…抱持端部、１１…召し合わせ框キャップ、１１ａ…隙間防止材取付溝、１１ｂ…軸穴、１１ｃ…歯部、１２…軸部材、１２ａ…台座部、１２ｂ…軸部、１２ｃ１…平板部、１２ｃ２…突出部、１２ｄ…連繋部、１２ｅ…保持版、１３…隙間防止部材、１３ａ  舌片、１３ｂ…空間部、１４…隙間防止部材、１５…隙間防止部材、２０…ストッパ装置、２１…ホルダ部材、２１ａ…ガイド孔、２１ｂ…係止用切欠部、２１ｃ…凹部、２２…作動部材、２２ａ…ガイド柱、２２ｂ…バネ板部、２２ｃ…係止突起、２２ｄ…台板、２２ｅ…凹部、２３…係止ピン
２３ａ…  ピン保持板、２４…ピン受けつぼ（ピン受け穴）、３０…ストッパ装置、３１…ホルダ部材、３１ａ…ガイド孔、３１ｂ…係止用切欠部、３１ｃ…凹部、３２…作動部材、３２ａ…ガイド柱、３２ｂ…バネ板部、３２ｃ…係止突起、３２ｄ…台板、３２ｅ…凹部、３３…係止ピン、４０…床ガイド、４０ａ…支持板部、４０ａ１…透孔、４０ｂ…係止部、４０ｂ１…緩衝材保持部、４０ｃ…緩衝材、４２…パネルガイド、４２ａ…支持腕部、４２ｂ…係止腕部、４２ｂ１…緩衝材保持部、４２ｃ…緩衝材、Ｇｂ…間隙、Ｇｔ…間隙、Ｇｓ…間隙
【図１】
2020186573.tif 000003
【図２】
2020186573.tif 000004
【図３】
2020186573.tif 000005
【図４】
2020186573.tif 000006
【図５】
2020186573.tif 000007
【図６】
2020186573.tif 000008
【図７】
2020186573.tif 000009
【図８】
2020186573.tif 000010
【図９】
2020186573.tif 000011
【図１０】
2020186573.tif 000012
【図１１】
2020186573.tif 000013
【図１２】
2020186573.tif 000014
【図１３】
2020186573.tif 000015
【図１４】
2020186573.tif 000016
【図１５】
2020186573.tif 000017